(57)【要約】【課題】地盤の表面に撥水性を付与する地盤改良方法において、地盤の表面における撥水性の斑の発生を抑制する。【解決手段】地盤改良方法は、土砂に撥水剤を混合して撥水改良材５を形成すること（ステップＳ１）、及び、撥水改良材５を地盤１の表面２に敷設することによって地盤１の表面２に撥水層５０を形成すること（ステップＳ２）を含む。撥水剤はアルカリ金属珪酸塩及びアルカリ金属シリコネートを含有する。撥水改良材５を構成する土砂は粘土及び／又は砂であってもよい。撥水改良材５を構成する土砂は現地発生土であってもよい。【選択図】図２
2018084041.tif 000002
【特許請求の範囲】
【請求項１】
土砂に撥水剤を混合して撥水改良材を形成すること、及び、
前記撥水改良材を地盤の表面に敷設することによって前記表面に撥水層を形成すること、
を含む、地盤改良方法。
【請求項２】
前記撥水剤はアルカリ金属珪酸塩及びアルカリ金属シリコネートを含有する、請求項１に記載の地盤改良方法。
【請求項３】
前記土砂は粘土及び／又は砂である、請求項１又は請求項２に記載の地盤改良方法。
【請求項４】
前記土砂は現地発生土である、請求項１又は請求項２に記載の地盤改良方法。
【請求項５】
前記撥水改良材を前記表面に敷設することは、前記撥水改良材を前記表面に散布することを含む、請求項１〜請求項４のいずれか１つに記載の地盤改良方法。
【請求項６】
前記撥水改良材を前記表面に敷設することは、前記撥水改良材を圧搾空気と共に前記表面に吹き付けることを含む、請求項１〜請求項４のいずれか１つに記載の地盤改良方法。
【請求項７】
前記表面は法面である、請求項１〜請求項６のいずれか１つに記載の地盤改良方法。
【発明の詳細な説明】
【技術分野】
【０００１】
本発明は地盤改良方法に関し、詳しくは地盤の表面に撥水性を付与する技術に関する。
【背景技術】
【０００２】
特許文献１には、アルカリ金属珪酸塩及びアルカリ金属シリコネートを含有する薬剤を用いて、粘土質又は砂利質の土壌物質を固化及び疎水性化することが開示されている。
【先行技術文献】
【特許文献】
【０００３】
【特許文献１】特許第３４７９００７号公報
【発明の概要】
【発明が解決しようとする課題】
【０００４】
ところで、通常、地盤の表面には凹凸があり、降雨などによる水が浸入しやすい状況にある。ここで、図６（Ａ）は、通常の地盤の一例である地盤１の表面２を示す図であり、図６（Ｂ）は図６（Ａ）の部分αの部分拡大図である。図６（Ｂ）には、地盤１の表面２の平面部２０と、地盤１の表面２に形成されている凹部２１〜２３と、凹部２１〜２３の各々の底部２１ａ〜２３ａとが図示されている。地盤１については、その表面２に凹部２１〜２３が形成されていることにより、降雨などによる水が浸入しやすい状況にある。
【０００５】
この点、地盤１の表面２が降雨などにより劣化するのを抑制するために、地盤１の表面２に撥水性を付与する手法として、例えば、特許文献１に開示のような液状の薬剤（撥水剤）を地盤１の表面２に単純に散布することが考えられる。ここで、図７（Ａ）は、特許文献１に開示のような液状の薬剤（撥水剤３）を地盤１の表面２に単純に散布した状態を示す図であり、図７（Ｂ）は図７（Ａ）の部分αの部分拡大図である。
【０００６】
図７（Ｂ）に示すように、地盤１の表面２に撥水剤３を単純に散布した場合には、撥水剤３が平面部２０や比較的小さな凹部２１に十分に行き渡る。ゆえに、撥水剤３によって平面部２０や凹部２１に撥水性が付与され得る（すなわち、平面部２０や凹部２１が撥水剤３によって改良され得る）。
【０００７】
しかしながら、比較的大きな凹部２２，２３については、撥水剤３が到達しない部分があり、当該部分の改良が行われなかった（例えば、図７（Ｂ）に示す凹部２２，２３の底部２２ａ，２３ａ参照）。それゆえ、地盤１の表面２における撥水性に斑が生じていた。
【０００８】
本発明は、このような実状に鑑み、地盤の表面に撥水性を付与する地盤改良方法において、地盤の表面における撥水性の斑の発生を抑制することを目的とする。
【課題を解決するための手段】
【０００９】
そのため本発明に係る地盤改良方法は、土砂に撥水剤を混合して撥水改良材を形成すること、及び、撥水改良材を地盤の表面に敷設することによって地盤の表面に撥水層を形成すること、を含む。
【００１０】
ここで、本発明における「地盤」とは、自然にある地盤（原地盤）と、盛土などの人工的な地盤とを含む。
【発明の効果】
【００１１】
本発明によれば、土砂に撥水剤を混合して形成された撥水改良材を地盤の表面に敷設することによって地盤の表面に撥水層を形成する。これにより、例えば、前述の地盤１の表面２の凹部２１〜２３の開口端部が撥水改良材によって塞がれた状態で地盤１の表面２に撥水改良材が敷設され得るので（後述する図２（Ａ）及び（Ｂ）参照）、地盤１の表面２に撥水性を付与する施工において地盤１の表面２の凹凸の影響を抑制することができ、ひいては、地盤１の表面２における撥水性の斑の発生を抑制することができる。
【図面の簡単な説明】
【００１２】
【図１】本発明の第１実施形態における地盤改良方法を示すフローチャート
【図２】同上実施形態における地盤の表面に形成された撥水層を示す図
【図３】同上実施形態におけるカリウムメチルシリコネートと二酸化炭素との反応を示す図
【図４】同上実施形態の一変形例における、撥水層が形成された地盤の表面を締固める工程を示す図
【図５】本発明の第２実施形態における盛土の法面に形成された撥水層を示す図
【図６】通常の地盤の一例を示す図
【図７】撥水剤を地盤の表面に単純に散布した状態を示す図
【発明を実施するための形態】
【００１３】
以下、本発明の実施の形態について、図面を参照して説明する。
【００１４】
図１は、本発明の第１実施形態における地盤改良方法を示すフローチャートである。図２（Ａ）は、地盤１の表面２に形成された撥水層５０を示す図であり、図２（Ｂ）は図２（Ａ）の部分αの部分拡大図である。
【００１５】
本実施形態では、前述の図６（Ａ）及び（Ｂ）に示した地盤１の表面２に撥水層５０（図２（Ａ）及び（Ｂ）参照）を形成する地盤改良方法について説明する。また、本実施形態では、地盤１が、自然にある地盤（原地盤）であるとして以下説明するが、地盤１は原地盤に限らず、例えば盛土などの人工的な地盤であってもよい。
【００１６】
図１に示すように、本実施形態における地盤改良方法では、まず、ステップＳ１にて、土砂に撥水剤を混合して撥水改良材５（図２（Ａ）及び（Ｂ）参照）を形成する。すなわち、撥水改良材５は土砂と撥水剤とを含んで構成される。換言すれば、撥水改良材５は土砂と撥水剤とを混合してなる混合物である。
【００１７】
本実施形態では、撥水改良材５を構成する土砂として現地発生土が用いられる。ここで、現地発生土とは、図１に示す地盤改良方法を用いて地盤１の表面２に撥水層５０を形成する施工が行われる現地で施工時に地盤１の掘削などにより発生するものである。
【００１８】
本実施形態では、土砂に撥水剤を混合して撥水改良材５を形成するに先立って、当該土砂を構成する粒子（土粒子）の粒径が所定値以下となるように、現地発生土のスクリーニングが行われ得る。この所定値は、好ましくは４０ｍｍであり、更に好ましくは９．５ｍｍである。このスクリーニングにより、当該土砂を構成する粒子の粒径が前述の所定値以下となる。このスクリーニングには、「ＪＩＳ  Ａ  １２０４  土の粒度試験方法」で用いられる金属製網ふるいを用いてもよい。
【００１９】
尚、本実施形態では、撥水改良材５を構成する土砂として現地発生土を用いているが、当該土砂は現地発生土に限らず、例えば、現地以外で採取された購入材であってもよい。この購入材に対して前述のスクリーニングを行うことにより、当該土砂を構成する粒子の粒径を前述の所定値以下としてもよい。
【００２０】
また、撥水改良材５を構成する土砂は粘土及び／又は砂であってもよい。ここで、粘土は、例えば、粒径が５μｍ以下である粒子によって構成される。砂は、例えば、粒径が６２．５μｍ以上かつ２ｍｍ以下である粒子によって構成される。
【００２１】
撥水改良材５を構成する撥水剤は強塩基性（例えばｐＨ１４）の液状であり、溶媒を構成する水と、アルカリ金属珪酸塩及びアルカリ金属シリコネートとを含有する。本実施形態では、撥水剤として、例えば、商品名「WACKER BS （登録商標） Drysoil」（ワッカーケミー社製）、又は、商品名「SILRES（登録商標） 501 DRY SOIL」（供給者：旭化成ワッカーシリコーン株式会社）を挙げることができる。以下、これら商品を単に「DRY SOIL」と称する。
【００２２】
本実施形態で使用され得るアルカリ金属珪酸塩は、任意のアルカリ金属珪酸塩、例えば珪酸ナトリウム及び珪酸カリウムである。珪酸のナトリウム塩及びカリウム塩は、水ガラスとも称される。
【００２３】
本実施形態で使用され得るアルカリ金属珪酸塩は、ＳｉＯ２対アルカリ金属酸化物、殊にＮａ２Ｏ又はＫ２Ｏの重量比２.３〜３.５、密度１２４０〜１５３５ｋｇ／ｍ３及び粘度５〜８５０ｍＰａ・ｓ（２０℃）を有するのが有利である。
【００２４】
本実施形態で使用され得るアルカリ金属シリコネートは、特に、式：
Ｒａ（Ｒ１Ｏ）ｂ（Ｍ＋Ｏ−）ｃＳｉＯ（４−ａ−ｂ−ｃ）／２      （Ｉ）
［式中、Ｒは同一又は異なるものであってよく、１価のＳｉＣ−結合有機基を表し、Ｒ１は同一又は異なるものであってよく、１価の置換又は非置換の炭化水素基を表し、Ｍ＋は同一又は異なるものであってよく、アルカリ金属イオン又はアンモニウムイオン、殊にＮａ＋又はＫ＋を表し、ａは０、１、２又は３、好ましくは１であり、ｂは０、１、２又は３、好ましくは１又は２であり、ｃは０、１、２又は３、好ましくは１である（但し、ａ、ｂ及びｃの合計は３以下であり、分子１個当たり少なくとも１個の基（Ｍ＋Ｏ−）が存在することを前提とする）］の単位からのものである。
【００２５】
基Ｒの例としては、アルキル基、例えばメチル−、エチル−、ｎ−プロピル−、イソ−プロピル−、ｎ−ブチル−、イソ−ブチル、ｔ−ブチル−、ｎ−ペンチルー、イソ−ペンチル−、ネオ−ペンチル−、ｔ−ペンチル−基、ヘキシル基、例えばｎ−ヘキシル基、ヘプチル基、例えばｎ−ヘプチル基、オクチル基、例えばｎ−オクチル基及びイソ−オクチル基、例えば２，２，４−トリメチルペンチル基、ノニル基、例えばｎ−ノニル基、デシル基、例えばｎ−デシル基、ドデシル基、例えばｎ−ドデシル基及びオクタデシル基、例えばｎ−オクタデシル基、シクロアルキル基、例えばシクロペンチル−、シクロヘキシル−、シクロヘプチル−及びメチルシクロヘキシル基、アリール基、例えばフェニル−、ナフチル−、アンスリル−及びフェナンスリル基、アルカリール基、例えばｏ−、ｍ−、ｐ−トリル基、キシリル基及びエチルフェニル基及びアラルキル基、例えばベンジル基、α−及びβ−フェニルエチル基が挙げられる。
【００２６】
基Ｒとしては、炭素原子数１〜１２を有する炭化水素基が有利であり、特にメチル−、エチル−及びプロピル基、殊にメチル基が有利である。
【００２７】
基Ｒ１の例としては、上述の基Ｒの例を挙げることができる。ここで、基Ｒ１としては水素、炭素原子数１〜６を有する炭化水素基、特に水素原子、メチル−及びエチル基、殊に水素原子が有利である。
【００２８】
本実施形態で使用され得るアルカリ金属シリコネートとしては、室温で水中に少なくとも部分的に溶解するものが有利である。
【００２９】
本実施形態で使用され得るアルカリ金属シリコネートはカリウムアルキルシリコネートの水溶液が特に有利である。カリウムアルキルシリコネートは、地盤１の表面２に形成される撥水層５０に疎水性（撥水性）を付与する機能を有する。尚、図３には、カリウムアルキルシリコネートの一例として、カリウムメチルシリコネート（メチルケイ酸カリウム）が示されている。撥水剤中のアルカリ金属シリコネートとしてカリウムメチルシリコネートを用いた場合のカリウムメチルシリコネートの作用については、図３を用いて後述する。
【００３０】
本実施形態では、アルカリ金属珪酸塩及びアルカリ金属シリコネートが任意の割合で使用され得る。アルカリ金属珪酸塩対アルカリ金属シリコネートの重量比は１０：１〜１：１０が有利であり、特に１：１が好ましい。
【００３１】
本実施形態では、１００リットルの撥水剤（すなわち、水、アルカリ金属珪酸塩及びシリコネートの合計量１００リットル）のうち、水分が１０〜９５リットルであることが好ましく、水分が７０〜９０リットルであることが更に好ましい。
【００３２】
撥水剤については、ＳｉＯ２対アルカリ金属酸化物の重量比が２.４６〜２.６４（ＳｉＯ２  １９.７〜２０.７％）、密度１２４０〜１２５０ｋｇ／ｍ３及び２０℃での粘度２０〜４０ｍＰａ・ｓを有するカリ水ガラス１５リットル、水中の４２％溶液としての平均式：ＣＨ３−Ｓｉ（ＯＨ）２Ｏ−Ｋ＋のカリウムメチルシリコネート１５リットル及び水７０リットルを混合して製造され得る。
【００３３】
又は、撥水剤については、ＳｉＯ２対アルカリ金属酸化物の重量比が２.４６〜２.６４（ＳｉＯ２  １９.７〜２０.７％）、密度１２４０〜１２５０ｋｇ／ｍ３及び２０℃での粘度２０〜４０ｍＰａ・ｓを有するカリ水ガラス１０リットル、水中の４２％溶液としての平均式：ＣＨ３−Ｓｉ（ＯＨ）２Ｏ−Ｋ＋のカリウムメチルシリコネート１０リットル及び水８０リットルを混合して製造され得る。
【００３４】
又は、撥水剤については、ＳｉＯ２対アルカリ金属酸化物の重量比が２.４６〜２.６４（ＳｉＯ２  １９.７〜２０.７％）、密度１２４０〜１２５０ｋｇ／ｍ３及び２０℃での粘度２０〜４０ｍＰａ・ｓを有するカリ水ガラス１０リットル、水中の約４０％溶液としてのカリウムメチルプロピルシリコネート５リットル及び水７５リットルを混合して製造され得る。
【００３５】
従って、本実施形態では、撥水剤は、溶媒を構成する水と、アルカリ金属珪酸塩及びアルカリ金属シリコネートとを含有する。アルカリ金属シリコネートは疎水基を含み得る。また、撥水剤は、疎水基を有するシリコーンを含有し得る。また、前述の「DRY SOIL」については、２０〜３０重量％のメチルケイ酸カリウムと、７０〜８０重量％の水及びその他成分と、を含有し得る。
【００３６】
ステップＳ１では、撥水改良材５の形成時に、土砂と撥水剤とを混合するに先立って、土砂の含水比を測定し、この測定した土砂の含水比に基づいて、土砂と撥水剤との混合比を設定した上で、土砂と撥水剤とを混合してもよい。
【００３７】
ステップＳ１にて撥水改良材５を形成すると、次に、ステップＳ２に進み、地盤１の表面２に撥水改良材５の敷設することにより、地盤１の表面２に撥水層５０を形成する（図２（Ａ）及び（Ｂ）参照）。ここで、地盤１の表面２は、撥水性を付与する施工（すなわち、地盤改良の施工）が行われる被施工面１０である。
【００３８】
地盤１の表面２に敷設される撥水改良材５については、撥水改良材５を構成する撥水剤中の溶媒が十分に存在する状態で（すなわち、撥水改良材５が湿った状態で）地面１の表面２に敷設される。ゆえに、撥水層５０については、撥水改良材５が敷設された直後においては、撥水剤中の溶媒によって湿った状態である。
【００３９】
ここで、撥水剤中のアルカリ金属シリコネートとしてカリウムメチルシリコネートを用いた場合のカリウムメチルシリコネートの作用について図３を用いて説明する。図３は、カリウムメチルシリコネートと二酸化炭素との反応を示す。
【００４０】
撥水改良材５を地盤１の表面２に敷設すると、撥水改良材５を構成する撥水剤中のカリウムメチルシリコネートは、敷設された撥水改良材５の周辺の空気中の二酸化炭素と反応して、この結果、メチルシリコーンレジンと炭酸カリウムとが生成される。これにより、撥水層５０の表面及び内部には、メチルシリコーンレジンによる架橋性ネットワークが形成される。
【００４１】
また、撥水剤中のカリウムメチルシリコネートについては、その状態（不安定な状態）を維持するために、撥水剤中の溶媒が強塩基性となっている。それゆえ、撥水改良材５を構成する撥水剤中の溶媒が蒸発して減少すると撥水剤のｐＨが減少し、それに応じて撥水剤中の比較的不安定なカリウムメチルシリコネートが重合して比較的安定的なメチルシリコーンレジンになる。
【００４２】
従って、撥水改良材５を構成する撥水剤中のカリウムメチルシリコネートについては、撥水剤中の溶媒が蒸発して減少して撥水剤のｐＨが減少すること、及び、カリウムメチルシリコネートが周辺の空気中の二酸化炭素と反応することにより、メチルシリコーンレジンによる架橋性ネットワークが撥水層５０の表面及び内部に形成され得る。この架橋性ネットワークを構成するメチル基（疎水基）が傘のように並ぶことで撥水層５０に疎水性（撥水性）が付与される。
【００４３】
図２（Ａ）及び（Ｂ）に示すように、撥水層５０の形成時には、地盤１の表面２の凹部２１〜２３の開口端部が撥水改良材５によって塞がれた状態で地盤１の表面２に撥水改良材５が敷設される。これにより、凹凸を有する地盤１の表面２が撥水層５０によって斑なく覆われ得るので、地盤１の表面２の広範囲にわたって良好な撥水性を付与することができる。
【００４４】
尚、図１に示したステップＳ２では、撥水改良材５を地盤１の表面２に散布することにより、撥水改良材５を地盤１の表面２に敷設することができる。この散布には例えばアスファルトディストリビュータを転用してもよい。
【００４５】
又は、図１に示したステップＳ２では、撥水改良材５を圧搾空気と共に地盤１の表面２に吹き付けることにより、撥水改良材５を地盤１の表面２に敷設することができる。撥水改良材５と共に吹き付けられる圧搾空気によって、撥水層５０の乾燥が促進され得る。
【００４６】
尚、撥水層５０の乾燥に時間を要する場合には、撥水層５０が乾燥するまでの間、撥水層５０の表面（露出面）を覆うように、養生用のシート状部材（図示せず）を設置してもよい。
【００４７】
次に、本実施形態の一変形例について図４を用いて説明する。図４は、撥水層５０が形成された地盤１の表面２を締固める工程を示す。
【００４８】
図４に示すように、撥水層５０が形成された地盤１の表面２をロードローラー６などの締固め用機械を用いて締固めてもよい。この場合には、ロードローラー６などの締固め用機械の排ガスを撥水層５０に送気することにより、撥水層５０の乾燥を促進することができる。この排ガスの温度は、撥水層５０の周辺の空気の温度よりも高くなり得る。また、この排ガス中の二酸化炭素濃度は、撥水層５０の周辺の空気中の二酸化炭素濃度よりも高くなり得る。また、この排ガスの湿度（相対湿度）は、撥水層５０の周辺の空気の湿度（相対湿度）よりも低くなり得る。
【００４９】
本実施形態によれば、地盤改良方法は、土砂に撥水剤を混合して撥水改良材５を形成すること（ステップＳ１）、及び、撥水改良材５を地盤１の表面２に敷設することによって地盤１の表面２に撥水層５０を形成すること（ステップＳ２）、を含む。これにより、地盤１の表面２の凹部２１〜２３の開口端部が撥水改良材５によって塞がれた状態で地盤１の表面２に撥水改良材５が敷設され得るので、地盤１の表面２に撥水性を付与する施工において地盤１の表面２の凹凸の影響を抑制することができ、ひいては、地盤１の表面２における撥水性の斑の発生を抑制することができる。
【００５０】
また本実施形態によれば、撥水剤はアルカリ金属珪酸塩及びアルカリ金属シリコネートを含有する。これにより、撥水改良材５を構成する撥水剤中のアルカリ金属シリコネートについては、撥水剤中の溶媒が蒸発して減少して撥水剤のｐＨが減少すること、及び、アルカリ金属シリコネートが周辺の空気中の二酸化炭素と反応することにより、架橋性ネットワークが撥水層５０の表面及び内部に形成され得る。この架橋性ネットワークによって撥水層５０に疎水性（撥水性）が付与され得る。
【００５１】
また本実施形態によれば、撥水改良材５を構成する土砂は粘土及び／又は砂である。これにより、撥水改良材５を構成する粒子の粒径が比較的小さいので、地盤１の表面２の凹部２１〜２３の開口端部に撥水改良材５が良好に入り込んで当該開口端部を塞ぐことができる。また、撥水改良材５を構成する土砂が粘土及び／又は砂である場合には、地盤１の表面２への敷設時において、撥水改良材５がペースト状であり得る。
【００５２】
また本実施形態によれば、撥水改良材５を構成する土砂が現地発生土であり得る。これにより、現場発生土を有効に活用することができる。
【００５３】
また本実施形態によれば、撥水改良材５を地盤１の表面２に敷設することは、撥水改良材５を地盤１の表面２に散布することを含む。この散布作業では、例えばアスファルトディストリビュータを転用することで、効率良く作業を進めることができる。
【００５４】
また本実施形態によれば、撥水改良材５を地盤１の表面２に敷設することは、撥水改良材５を圧搾空気と共に地盤１の表面２に吹き付けることを含む。撥水改良材５と共に吹き付けられる圧搾空気によって、撥水層５０の乾燥が促進され得る。
【００５５】
図５は、本発明の第２実施形態における盛土８の法面９に形成された撥水層５０を示す図である。前述の第１実施形態と異なる点について説明する。
【００５６】
本実施形態では、盛土８の法面９が、本発明の「地盤の表面」に対応し、盛土８の法面９に撥水改良材５が敷設されることにより、盛土８の法面９に撥水層５０が形成される。ここで、盛土８の法面９は、撥水性を付与する施工（すなわち、地盤改良の施工）が行われる被施工面１０である。
【００５７】
本実施形態においても、撥水改良材５を構成する土砂として現地発生土が用いられ得る。この現地発生土は、盛土８の構築時に発生したものであってもよい。また、撥水改良材５を構成する土砂は前述の粘土及び／又は砂であってもよい。
【００５８】
本実施形態では、撥水改良材５を盛土８の法面９に散布することにより、撥水改良材５を盛土８の法面９に敷設することができる。
【００５９】
又は、撥水改良材５を圧搾空気と共に撥水改良材５を盛土８の法面９に吹き付けることにより、撥水改良材５を盛土８の法面９に敷設することができる。撥水改良材５と共に吹き付けられる圧搾空気によって、撥水層５０の乾燥が促進され得る。
【００６０】
本実施形態においても、撥水層５０の乾燥に時間を要する場合には、撥水層５０が乾燥するまでの間、撥水層５０の表面（露出面）を覆うように、養生用のシート状部材（図示せず）が設置され得る。
【００６１】
特に本実施形態によれば、地盤改良方法は、土砂に撥水剤を混合して撥水改良材５を形成すること（ステップＳ１）、及び、撥水改良材５を盛土８の法面９（地盤の表面）に敷設することによって盛土８の法面９に撥水層５０を形成すること（ステップＳ２）、を含む。これにより、盛土８の法面９の凹部（図示せず）の開口端部が撥水改良材５によって塞がれた状態で盛土８の法面９に撥水改良材５が敷設され得るので、盛土８の法面９に撥水性を付与する施工において盛土８の法面９の凹凸の影響を抑制することができ、ひいては、盛土８の法面９における撥水性の斑の発生を抑制することができる。
【００６２】
尚、本実施形態では、撥水改良材５を盛土８の法面９に敷設することによって盛土８の法面９に撥水層５０を形成しているが、この他、撥水改良材５を切土の法面（図示せず）に敷設することによって当該切土の法面に撥水層５０を形成してもよいことは言うまでもない。この場合には、当該切土の法面が本発明の「地盤の表面」に対応する。
【００６３】
また、前述の第１及び第２実施形態にて説明した地盤改良方法は、地盤の表面（前述の表面２及び法面９など）の保護方法として用いられ得ることは言うまでもない。例えば、長期間にわたって地盤の表面が外部に露出することを抑制するために、当該表面に撥水層５０が仮設されて、当該期間の経過後に改めて地盤の表面にて本設の各種工事が行われるような地盤の表面の保護に、前述の地盤改良方法が適用され得る。ここで、前述の本設の一例としては、前述の第２実施形態において撥水層５０が仮設された後に本設として植生工を行うことを挙げることができる。本設として植生工を行う場合には、植生吹付実施前に撥水層５０を解砕して植生を可能とすることが好ましい。この解砕には、例えば、ロングアームのバックホーが用いられ得る。また、この解砕は、撥水層５０に亀裂が入る程度でよい。
【００６４】
また、前述の第１及び第２実施形態では、強塩基性の撥水剤を土砂に混合して撥水改良材５を形成し、この撥水改良材５を被施工面１０に敷設する。それゆえ、撥水改良材５のｐＨは撥水剤自体のｐＨよりも小さい。従って、前述の第１及び第２実施形態では、撥水改良材５を被施工面１０に敷設することによって撥水層５０を被施工面１０に形成することにより、被施工面１０に撥水剤自体を直接散布するのに比べて撥水剤の塩基性を実質的に下げた状態で撥水剤を被施工面１０に供給することができ、ひいては作業性を改善することができる。尚、前述したように、撥水剤中のアルカリ金属シリコネートについては、その状態（不安定な状態）を維持するために撥水剤中の溶媒が強塩基性になっているので、撥水剤を大量の水などで希釈して塩基性を下げることが難しい。ゆえに、本発明に係る地盤改良方法については、強塩基性の撥水剤を用いるときに特に効果大である。
【００６５】
また、前述の第１及び第２実施形態では、撥水剤を土砂に混合して形成された撥水改良材５を被施工面１０に敷設することにより、被施工面１０に撥水層５０を形成する。これにより、例えば被施工面１０の吸水率が低くて被施工面１０では撥水剤を十分に吸収することが難しい場合であっても、被施工面１０に容易に撥水層５０を形成することができる。
【００６６】
また、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００６７】
１  地盤
２  表面
３  撥水剤
５  撥水改良材
６  ロードローラー（締固め用機械）
８  盛土
９  法面
１０  被施工面
２０  平面部
２１〜２３  凹部
２１ａ〜２３ａ  底部
５０  撥水層
【図１】
2018084041.tif 000003
【図２】
2018084041.tif 000004
【図３】
2018084041.tif 000005
【図４】
2018084041.tif 000006
【図５】
2018084041.tif 000007
【図６】
2018084041.tif 000008
【図７】
2018084041.tif 000009